(57)【要約】【課題】燃焼状態を良好に保ちつつ、暖房効果を向上させる省エネ運転が可能な暖房装置を提供する。【解決手段】暖房装置は、設定された設定温度と、検知された室温との差に基づいて、バーナ部の火力を制御する制御部を備える。そして、制御部は、通常運転と、バーナ部の火力の最大レベルが通常運転よりも小さい省エネ運転と、を実行する。また、省エネ運転でのバーナ部の所定レベル以上の火力に対応する対流ファンの回転速度は、その火力と等しい通常運転での火力に対応する対流ファンの回転速度よりも大きくされる。【選択図】図３
2020008179.tif 000002
【特許請求の範囲】
【請求項１】
外枠をなす本体と、
前記本体内に配置されており、気化した燃油を燃焼させるバーナ部と、
前記本体内に配置されており、前記本体の外部から取り入れた空気を前記バーナ部の燃焼による燃焼ガスと熱交換させて前記本体の外部に放出させる対流ファンと、
設定温度を設定する温度設定部と、
室温を検知する室温検知手段と、
設定された設定温度と検知された室温との差に基づいて前記バーナ部の火力を制御する制御部と、を備え、
前記制御部は、通常運転と、前記バーナ部の火力の最大レベルが前記通常運転よりも小さい省エネ運転と、を実行し、
前記制御部は、前記省エネ運転における前記バーナ部の所定レベル以上の火力に対応する前記対流ファンの回転速度を、前記省エネ運転における火力と等しい前記通常運転における火力に対応する前記対流ファンの回転速度よりも大きくすることを特徴とする暖房装置。
【請求項２】
前記制御部は、前記省エネ運転において、設定された設定温度と検知された室温との差が所定温度差以下になった後、前記設定温度よりも低い第１制御温度と検知された室温との差に基づいて前記バーナ部の火力を制御する第１制御と、前記設定温度に等しい第２制御温度と検知された室温との差に基づいて前記バーナ部の火力を制御する第２制御と、を含む処理を繰り返し行うことを特徴とする請求項１に記載の暖房装置。
【請求項３】
前記省エネ運転における前記バーナ部の所定レベル以上の火力は、前記省エネ運転における前記バーナ部の最大レベルの火力であることを特徴とする請求項１または請求項２に記載の暖房装置。
【請求項４】
前記制御部は、前記省エネ運転における前記バーナ部の所定レベル以上の火力に対応する前記対流ファンの回転速度を、前記通常運転における火力の最大レベルに対応する前記対流ファンの回転速度と等しくすることを特徴とする請求項１から請求項３のいずれか一項に記載の暖房装置。
【発明の詳細な説明】
【技術分野】
【０００１】
本発明は、石油ファンヒータ等の暖房装置に関する。
【背景技術】
【０００２】
石油ファンヒータ等の暖房装置として、セーブ運転機能を有する温風式暖房機が知られている（例えば、特許文献１参照）。
【０００３】
この温風式暖房機では、セーブ運転スイッチを操作すると、設定温度を徐々に低下させる（室温が設定温度に達した後、例えば３０分経過後１℃、更に３０分経過後１℃下げる。）セーブ運転が実行される。そして、このセーブ運転中、若しくはセーブ運転完了後に温風ファンモータの回転数が通常値よりも高くさせられる。このような制御により、セーブ運転による省エネ効果と温風ファンモータによる室温の均一化とが図られている（特許文献１の段落［００１６］、図４参照）。
【先行技術文献】
【特許文献】
【０００４】
【特許文献１】特開平０８−１５２１９６号公報
【発明の概要】
【発明が解決しようとする課題】
【０００５】
しかしながら、特許文献１に記載の温風式暖房機では、セーブ運転（省エネ運転）において設定温度を徐々に低下させるものであるため、室温も徐々に低下することになる。したがって、暖房感を損なって寒さを感じさせるおそれがある。また、温風ファンモータの回転数が通常値よりも高い状態で継続されるため、例えば燃焼量（火力）が小さい場合には、炎が消えやすくなって燃焼状態が悪化するおそれがある。
【０００６】
本発明は、前記した事情に鑑みてなされたものであり、燃焼状態を良好に保ちつつ、暖房効果を向上させる省エネ運転が可能な暖房装置を提供することを課題とする。
【課題を解決するための手段】
【０００７】
前記課題を解決するために、本発明に係る暖房装置は、外枠をなす本体と、前記本体内に配置されており、気化した燃油を燃焼させるバーナ部と、を備える。また、前記暖房装置は、前記本体内に配置されており、前記本体の外部から取り入れた空気を前記バーナ部の燃焼による燃焼ガスと熱交換させて前記本体の外部に放出させる対流ファンを備える。さらに、前記暖房装置は、設定温度を設定する温度設定部と、室温を検知する室温検知手段と、設定された設定温度と検知された室温との差に基づいて前記バーナ部の火力を制御する制御部と、を備える。そして、前記制御部は、通常運転と、前記バーナ部の火力の最大レベルが前記通常運転よりも小さい省エネ運転と、を実行する。また、前記制御部は、前記省エネ運転における前記バーナ部の所定レベル以上の火力に対応する前記対流ファンの回転速度を、前記省エネ運転における火力と等しい前記通常運転における火力に対応する前記対流ファンの回転速度よりも大きくする。
【発明の効果】
【０００８】
本発明によれば、燃焼状態を良好に保ちつつ、暖房効果を向上させる省エネ運転が可能な暖房装置を提供することができる。
【図面の簡単な説明】
【０００９】
【図１】本発明の一実施形態に係る暖房装置を示す概略断面図である。
【図２】暖房装置の制御構成を示す概略ブロック図である。
【図３】図３（ａ）は通常運転における火力の各レベルに対応する対流ファンの回転速度のレベルを示す図である。図３（ｂ）は、省エネ運転における火力の各レベルに対応する対流ファンの回転速度のレベルを示す図である。
【図４】ゆらぎ温調運転を説明するための図である。
【図５】暖房装置の通常運転における動作の内容を示すフローチャートである。
【図６】暖房装置の省エネ運転における動作の内容を示すフローチャートである。
【図７】暖房装置の省エネ運転における室温の推移を模式的に示すグラフである。
【発明を実施するための形態】
【００１０】
本発明の実施形態について、適宜図面を参照しながら詳細に説明する。
なお、各図において、共通する構成要素や同様な構成要素については、同一の符号を付し、それらの重複する説明を適宜省略する。
【００１１】
図１は、本発明の一実施形態に係る暖房装置１００を示す概略断面図である。
図１に示すように、暖房装置１００は、外枠をなす本体１と、本体１内に配置されており、気化した燃油を燃焼させるバーナ部２とを備えている。バーナ部２は、燃油を気化させる気化器３と、気化器３の上部に配設され、気化した燃油を燃焼させる燃焼部としてのバーナヘッド４とを有している。
【００１２】
気化器３は、有底筒状を呈している。気化器３の側壁部あるいは底部には、気化器３を加熱するヒータ５が例えば鋳込まれることによって配置されている。バーナヘッド４の周囲には、燃焼熱を気化器３へ回収する熱回収リング２２が設けられている。
【００１３】
また、暖房装置１００は、燃料パイプ６を介して燃料タンク７内の燃油を気化器３に供給する電磁ポンプ８と、空気通路９を介して燃焼用空気を気化器３に供給する燃焼ファン１０とを備えている。
【００１４】
バーナヘッド４の側壁部には、多数の炎孔１１が形成されている。バーナヘッド４の外周面の近傍には、点火手段としての点火プラグ１２と、炎検知手段１３とが配置されている。点火プラグ１２は、炎孔１１から噴出する気化した燃油と燃焼用空気とが混合した混合気に高圧放電によって点火する。炎検知手段１３は、炎の有無および燃焼状態を検知して信号を出力するものであり、フレームロッドとも呼ばれている。
【００１５】
また、本体１内には、本体１の外部から取り入れた空気をバーナ部２の燃焼による燃焼ガスと熱交換させて本体１の外部に放出させる対流ファン１４が配置されている。対流ファン１４の作動によって、本体１の背面に設けられた空気取入口１５から取り入れた外部の空気が、加熱されることで温風となって、本体１の前面に設けられた温風吹出口１６から室内へ吹き出される。
【００１６】
図２は、暖房装置１００の制御構成を示す概略ブロック図である。
図２に示すように、暖房装置１００は、操作部１７、室温検知手段１８、気化器温度検知手段１９、および制御部２０を備えている。操作部１７は、ユーザの操作を受け付ける。操作部１７は、温度設定部１７ａ、運転スイッチ１７ｂ、エコスイッチ１７ｃ等の各種スイッチやボタンを有している。温度設定部１７ａは、ユーザの操作に基づいて設定温度を設定するものである。運転スイッチ１７ｂは、暖房運転の開始および停止を指示するものである。エコスイッチ１７ｃは、省エネ運転の開始および停止を指示するものである。また、室温検知手段１８は、暖房装置１００が置かれている室内の温度である室温を検知する。気化器温度検知手段１９は、気化器３の温度を検知する。
【００１７】
制御部２０は、ＣＰＵ（Central Processing Unit）とメモリとを備えており、暖房装置１００の運転を統括制御する。制御部２０による各種の制御は、記憶手段２１に予め記憶されたプログラムをメモリに読み出してＣＰＵが実行することで実現される。
【００１８】
例えば、制御部２０は、温度設定部１７ａにおいて設定された設定温度と、室温検知手段１８によって検知された室温との差に基づいて、バーナ部２の火力を制御する。火力は、電磁ポンプ８による燃油の供給量、および燃焼ファン１０の回転速度を変更することで調整されるようになっている。ここで、燃油の供給量に応じた適切な燃焼用空気の供給量が決まっており、記憶手段２１には、火力のレベル毎に、電磁ポンプ８による燃油の供給量および燃焼ファン１０の回転速度が記憶されている。
【００１９】
また、制御部２０は、通常運転と省エネ運転とを実行可能である。
図３（ａ）は、通常運転における火力の各レベルに対応する対流ファン１４の回転速度のレベルを示す図である。図３（ｂ）は、省エネ運転における火力の各レベルに対応する対流ファン１４の回転速度のレベルを示す図である。図３（ａ）、図３（ｂ）に示す火力と対流ファン１４の回転速度との対応データは、記憶手段２１に記憶されている。
【００２０】
図３（ａ）、図３（ｂ）に示すように、通常運転における火力の最大レベルは「５」であり、省エネ運転における火力の最大レベルは「４」である。つまり、省エネ運転は、バーナ部２の火力の最大レベルが通常運転よりも小さくなっている。
【００２１】
また、制御部２０は、省エネ運転でのバーナ部２の所定レベル以上の火力に対応する対流ファン１４の回転速度をその省エネ運転での火力と等しい通常運転での火力に対応する対流ファン１４の回転速度よりも大きくする。
【００２２】
例えば、制御部２０は、省エネ運転でのバーナ部２の最大レベル「４」の火力に対応する対流ファン１４の回転速度を、通常運転での火力「４」に対応する対流ファン１４の回転速度「４」よりも大きくする。ここでは、制御部２０は、省エネ運転でのバーナ部２の最大レベル「４」の火力に対応する対流ファン１４の回転速度を、通常運転での火力の最大レベル「５」に対応する対流ファン１４の回転速度「５」と等しくする。
【００２３】
また、制御部２０は、省エネ運転において、ゆらぎ温調運転を実行する。
図４は、ゆらぎ温調運転を説明するための図である。図４では、ゆらぎ温調運転開始から６０分までの間における設定温度Ｔ０に対する補正値の変化が示されており、これ以降の時間において同様の補正値の変化のパターンが継続される。図４に示す補正値の変化のパターンは、記憶手段２１に記憶されている。
【００２４】
図４に示すように、省エネ運転において、設定温度Ｔ０と室温Ｔとの差が所定温度差以下になった後、ゆらぎ温調運転の制御が行われる。ここでは、省エネ運転において、設定温度Ｔ０と室温Ｔとの差が０．０℃になった後、つまり室温Ｔが設定温度Ｔ０に到達した後、以下の制御が行われるようになっている。すなわち、制御部２０は、第１制御温度Ｔ１を用いる第１制御と、第２制御温度Ｔ２を用いる第２制御と、第３制御温度Ｔ３を用いる第３制御と、を含む処理を繰り返し行う。ただし、図４に示す補正値の変化のパターンは一例であり、適宜変更され得る。例えば、さらに別の制御温度が用いられてもよいし、第１制御、第２制御、および第３制御の実行順序が変更されてもよい。
【００２５】
第１制御温度Ｔ１は、設定温度Ｔ０よりも例えば１℃低く設定される。第２制御温度Ｔ２は、設定温度Ｔ０に等しい温度に設定される。第３制御温度Ｔ３は、設定温度Ｔ０よりも例えば０．８℃低く設定される。つまり、第１制御では、制御部２０は、設定温度Ｔ０よりも１℃低い第１制御温度Ｔ１と検知された室温Ｔとの差に基づいてバーナ部２の火力を制御する。また、第２制御では、制御部２０は、設定温度Ｔ０に等しい第２制御温度Ｔ２と検知された室温Ｔとの差に基づいてバーナ部２の火力を制御する。また、第３制御では、制御部２０は、設定温度Ｔ０よりも０．８℃低い第３制御温度Ｔ３と検知された室温Ｔとの差に基づいてバーナ部２の火力を制御する。
【００２６】
次に、図５〜図７を参照しながら、本実施形態に係る暖房装置１００の動作について説明する。図５は、暖房装置１００の通常運転における動作の内容を示すフローチャートである。図６は、暖房装置１００の省エネ運転における動作の内容を示すフローチャートである。図７は、暖房装置１００の省エネ運転における室温Ｔの推移を模式的に示すグラフである。
【００２７】
制御部２０は、操作部１７の運転スイッチ１７ｂがＯＮされると、エコスイッチ１７ｃがＯＦＦになっている場合には通常運転を開始し、エコスイッチ１７ｃがＯＮになっている場合には省エネ運転を開始する。
【００２８】
まず、通常運転について説明する。
図５に示すように、ステップＳ１０１では、制御部２０は、温度設定部１７ａにおいて設定された設定温度Ｔ０を取得する。
【００２９】
ステップＳ１０２では、制御部２０は、バーナ部２の火力を最大レベル「５」に設定して、暖房装置１００の運転を行う。このとき、対流ファン１４の回転速度は、レベル「５」に設定される（図３（ａ）参照）。そして、暖房装置１００の運転が続けられることによって室温Ｔが上昇する。
【００３０】
ステップＳ１０３では、室温検知手段１８によって室温Ｔが検知される。続いて、ステップＳ１０４では、（室温Ｔ−設定温度Ｔ０）が−０．５℃以下であるか否かが判断される。（Ｔ−Ｔ０）≦−０．５℃である場合（Ｓ１０４でＹｅｓ）、ステップＳ１０５に処理が進み、（Ｔ−Ｔ０）＞−０．５℃である場合（Ｓ１０４でＮｏ）、ステップＳ１０６に処理が進む。
【００３１】
ステップＳ１０５は、室温Ｔが設定温度Ｔ０よりも或る程度以上低い場合に実行されることになる。ステップＳ１０５では、制御部２０は、バーナ部２の火力を最大レベル「５」に設定する。このとき、対流ファン１４の回転速度は、レベル「５」に設定される（図３（ａ）参照）。
【００３２】
ステップＳ１０６では、（室温Ｔ−設定温度Ｔ０）が−０．５℃を超え、かつ０．０℃以下であるか否かが判断される。−０．５℃＜（Ｔ−Ｔ０）≦０．０℃である場合（Ｓ１０６でＹｅｓ）、ステップＳ１０７に処理が進み、−０．５℃＜（Ｔ−Ｔ０）≦０．０℃でない場合（Ｓ１０６でＮｏ）、ステップＳ１０８に処理が進む。
【００３３】
ステップＳ１０７は、室温Ｔが設定温度Ｔ０よりも僅かに低い場合に実行されることになる。ステップＳ１０７では、制御部２０は、バーナ部２の火力をレベル「４」に設定する。このとき、対流ファン１４の回転速度は、レベル「４」に設定される（図３（ａ）参照）。
【００３４】
ステップＳ１０８では、（室温Ｔ−設定温度Ｔ０）が０．０℃を超え、かつ０．５℃以下であるか否かが判断される。０．０℃＜（Ｔ−Ｔ０）≦０．５℃である場合（Ｓ１０８でＹｅｓ）、ステップＳ１０９に処理が進み、０．０℃＜（Ｔ−Ｔ０）≦０．５℃でない場合（Ｓ１０８でＮｏ）、ステップＳ１１０に処理が進む。
【００３５】
ステップＳ１０９は、室温Ｔが設定温度Ｔ０よりも僅かに高い場合に実行されることになる。ステップＳ１０９では、制御部２０は、バーナ部２の火力をレベル「３」に設定する。このとき、対流ファン１４の回転速度は、レベル「３」に設定される（図３（ａ）参照）。
【００３６】
ステップＳ１１０では、（室温Ｔ−設定温度Ｔ０）が０．５℃を超え、かつ１．０℃以下であるか否かが判断される。０．５℃＜（Ｔ−Ｔ０）≦１．０℃である場合（Ｓ１１０でＹｅｓ）、ステップＳ１１１に処理が進み、０．５℃＜（Ｔ−Ｔ０）≦１．０℃でない場合（Ｓ１１０でＮｏ）、ステップＳ１１２に処理が進む。
【００３７】
ステップＳ１１１は、室温Ｔが設定温度Ｔ０よりも少し高い場合に実行されることになる。ステップＳ１１１では、制御部２０は、バーナ部２の火力をレベル「２」に設定する。このとき、対流ファン１４の回転速度は、レベル「２」に設定される（図３（ａ）参照）。
【００３８】
ステップＳ１１２は、室温Ｔが設定温度Ｔ０よりも或る程度以上高い場合に実行される。ステップＳ１１２では、制御部２０は、バーナ部２の火力を最小レベル「１」に設定する。このとき、対流ファン１４の回転速度は、レベル「１」に設定される（図３（ａ）参照）。
【００３９】
そして、ステップＳ１０５、Ｓ１０７、Ｓ１０９、Ｓ１１１、Ｓ１１２が終了すると、ステップＳ１０３に処理が戻る。
【００４０】
次に、省エネ運転について説明する。
図６に示すように、ステップＳ２０１では、制御部２０は、温度設定部１７ａにおいて設定された設定温度Ｔ０を取得する。
【００４１】
ステップＳ２０２では、制御部２０は、バーナ部２の火力を省エネ運転での最大レベル「４」に設定して、暖房装置１００の運転を行う。このとき、対流ファン１４の回転速度は、レベル「５」に設定される（図３（ｂ）参照）。そして、暖房装置１００の運転が続けられることによって室温Ｔが上昇する。
【００４２】
そして、ステップＳ２０３では、室温Ｔが設定温度Ｔ０に到達したか否かが判断される。室温Ｔが設定温度Ｔ０に到達していない場合（Ｓ２０３でＮｏ）、ステップＳ２０３で処理が待機する。室温Ｔが設定温度Ｔ０に到達した場合（Ｓ２０３でＹｅｓ）、ステップＳ２０４に処理が進む。
【００４３】
ステップＳ２０４では、制御温度Ｔｃの設定が行われる。ここで、制御温度Ｔｃは、前記した第１制御温度Ｔ１、第２制御温度Ｔ２、および第３制御温度Ｔ３の総称として使用する。制御温度Ｔｃの設定は、図４に示す設定温度Ｔ０に対する補正値の変化のパターンに基づいて行われる。これにより、ゆらぎ温調運転が行われることになる。
【００４４】
ステップＳ２０５では、室温検知手段１８によって室温Ｔが検知される。続いて、ステップＳ２０６では、（室温Ｔ−制御温度Ｔｃ）が０．５℃以下であるか否かが判断される。（Ｔ−Ｔｃ）≦０．５℃である場合（Ｓ２０６でＹｅｓ）、ステップＳ２０７に処理が進み、（Ｔ−Ｔｃ）＞０．５℃である場合（Ｓ２０６でＮｏ）、ステップＳ２０８に処理が進む。
【００４５】
ステップＳ２０７は、室温Ｔが制御温度Ｔｃよりも僅かに高いか、若しくは或る程度以上低い場合に実行されることになる。ステップＳ２０７では、制御部２０は、バーナ部２の火力を最大レベル「４」に設定して、暖房装置１００の運転を行う。このとき、対流ファン１４の回転速度は、レベル「５」に設定される（図３（ｂ）参照）。
【００４６】
ステップＳ２０８では、（室温Ｔ−制御温度Ｔｃ）が０．５℃を超え、かつ１．０℃以下であるか否かが判断される。０．５℃＜（Ｔ−Ｔｃ）≦１．０℃である場合（Ｓ２０８でＹｅｓ）、ステップＳ２０９に処理が進み、０．５℃＜（Ｔ−Ｔｃ）≦１．０℃でない場合（Ｓ２０８でＮｏ）、ステップＳ２１０に処理が進む。
【００４７】
ステップＳ２０９は、室温Ｔが制御温度Ｔｃよりも少し高い場合に実行されることになる。ステップＳ２０９では、制御部２０は、バーナ部２の火力をレベル「３」に設定する。このとき、対流ファン１４の回転速度は、レベル「３」に設定される（図３（ｂ）参照）。
【００４８】
ステップＳ２１０では、（室温Ｔ−制御温度Ｔｃ））が１．０℃を超え、かつ１．５℃以下であるか否かが判断される。１．０℃＜（Ｔ−Ｔｃ）≦１．５℃である場合（Ｓ２１０でＹｅｓ）、ステップＳ２１１に処理が進み、１．０℃＜（Ｔ−Ｔｃ）≦１．５℃でない場合（Ｓ２１０でＮｏ）、ステップＳ２１２に処理が進む。
【００４９】
ステップＳ２１１は、室温Ｔが制御温度Ｔｃよりもある程度高い場合に実行されることになる。ステップＳ２１１では、制御部２０は、バーナ部２の火力をレベル「２」に設定する。このとき、対流ファン１４の回転速度は、レベル「２」に設定される（図３（ｂ）参照）。
【００５０】
ステップＳ２１２は、室温Ｔが制御温度Ｔｃよりもある程度以上高い場合に実行されることになる。ステップＳ２１２では、制御部２０は、バーナ部２の火力を最大レベル「１」に設定する。このとき、対流ファン１４の回転速度は、レベル「１」に設定される（図３（ｂ）参照）。
【００５１】
そして、ステップＳ２０７、Ｓ２０９、Ｓ２１１、Ｓ２１２が終了すると、ステップＳ２０４に処理が戻る。
【００５２】
図７に示すように、省エネ運転が実行されると、室温Ｔが設定温度Ｔ０よりも低い場合には、省エネ運転における火力の最大レベルで燃焼が行われ、室温Ｔが上昇する。この際の対流ファン１４の回転速度が大きくなるように制御されるため、温風が強く吹き出される。また、室温Ｔが設定温度Ｔ０に到達すると、設定温度Ｔ０付近と設定温度Ｔ０よりも低い所定温度（制御温度Ｔｃ付近）との間で室温Ｔをゆらがせるように、ゆらぎ温調運転が行われる。
【００５３】
前記したように本実施形態に係る暖房装置１００は、設定された設定温度Ｔ０と、検知された室温Ｔとの差に基づいて、バーナ部２の火力を制御する制御部２０を備える。そして、制御部２０は、通常運転と、バーナ部２の火力の最大レベルが通常運転よりも小さい省エネ運転と、を実行する。また、省エネ運転でのバーナ部２の所定レベル以上の火力に対応する対流ファン１４の回転速度は、その火力と等しい通常運転での火力に対応する対流ファン１４の回転速度よりも大きくされる。
【００５４】
このような構成では、省エネ運転においてバーナ部２の火力が所定レベル以上である場合、室温Ｔがある程度低い状態にあるが、対流ファン１４の回転速度を大きくして風量を増すことで温風を強く吹き出すことができる。このため、吹き出した温風が室内ですぐに上昇することなく、足元にまで届き、足元付近の温度が上がる。そして、この温風が床面付近から天井まで上昇し、対流する。したがって、省エネ運転において、バーナ部２の火力の最大レベルを通常運転よりも小さくして燃油使用量を節約しつつ、室内全体をより早く温める効果がもたらされる。
また、バーナ部２の火力がある程度大きい場合に限り、対流ファン１４の回転速度を大きくするので、炎が対流ファンによる送風の影響を受けることは殆どなく、燃焼状態が悪化するおそれもない。
すなわち、本実施形態によれば、燃焼状態を良好に保ちつつ、暖房効果を向上させる省エネ運転が可能な暖房装置１００を提供することができる。
【００５５】
また、本実施形態では、室温Ｔが設定温度Ｔ０に近付いたら、設定温度Ｔ０よりも低い第１制御温度Ｔ１を用いた第１制御と、設定温度Ｔ０に等しい第２制御温度Ｔ２を用いた第２制御と、を含む処理が繰り返し実行される。
【００５６】
このような構成では、室温Ｔをゆらがせるように、ゆらぎ温調運転が行われる。このようなゆらぎ温調運転が実行される際には、設定温度Ｔ０付近まで室内が十分暖まっている状態であるため、火力が少し下がったとしても暖房感を損なうことなく、燃油使用量を節約できる。
また、ゆらぎ温調運転において、第１制御から第２制御へ移る際には、第１制御温度Ｔ１が用いられて制御された室温よりも通常高くなる第２制御温度Ｔ２が用いられる。これにより、バーナ部２の火力が大きくなって対流ファン１４の回転速度が大きくなることが、繰り返し発生する。したがって、温風の室内への届き方が変化して室内の空気が撹拌されることによって室温が均一化され、暖房効果をより向上させることができる。この結果、第１制御温度Ｔ１を設定温度Ｔ０よりもある程度低く設定したとしても暖房効果を確保することができ、燃油使用量をより節約できる。
【００５７】
また、本実施形態では、省エネ運転でのバーナ部２の最大レベル「４」の火力に対応する対流ファン１４の回転速度が、その火力と等しい通常運転での火力「４」に対応する対流ファン１４の回転速度よりも大きい。
【００５８】
このような構成では、省エネ運転で対流ファン１４の回転速度を大きくするのは、バーナ部２の火力が最大レベルである場合に限られる。したがって、炎が対流ファン１４による送風の影響をより受けにくくなり、燃焼状態にも影響をより与えない。また、バーナ部２の火力が最大レベルなので、温風の風量が増しても寒く感じることがない。
【００５９】
また、本実施形態では、省エネ運転でのバーナ部２の所定レベル以上の火力に対応する対流ファン１４の回転速度は、通常運転での火力の最大レベル「５」に対応する対流ファン１４の回転速度と等しい。
【００６０】
このような構成では、通常運転における火力の最大レベル「５」に対応する対流ファン１４の回転速度は、一般に、暖房装置１００の対流ファン１４で使用される最大回転速度とされる。したがって、対流ファン１４の回転速度を通常使用される範囲内で十分に大きくして温風を強く吹き出すことができる。
【００６１】
以上、本発明について、実施形態に基づいて説明したが、本発明は、前記実施形態に記載した構成に限定されるものではない。本発明は、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００６２】
例えば、前記した実施形態では、省エネ運転でのバーナ部２の最大レベル「４」の火力に対応する対流ファン１４の回転速度が大きくされる。しかし、本発明はこれに限定されるものではない。例えば、省エネ運転でのバーナ部２の最大レベル「４」およびレベル「３」の各火力に対応する対流ファン１４の回転速度がそれぞれ大きくされてもよい。
【００６３】
また、前記した実施形態では、省エネ運転で大きくされる対流ファン１４の回転速度は、通常運転での火力の最大レベル「５」に対応する対流ファン１４の回転速度「５」と等しくされる。しかし、本発明はこれに限定されるものではない。例えば、省エネ運転で大きくされる対流ファン１４の回転速度は、「４」と「５」の中間のレベル、あるいは「５」よりも大きくもよい。
【００６４】
また、前記した実施形態では、火力のレベルは「１」から「５」の５段階である場合を説明したが、５段階は例示であって、適宜変更して設定され得る。
【００６５】
また、前記した実施形態では、暖房装置１００は燃焼ファン１０を備えているが、本発明はこれに限定されるものではなく、燃焼ファン１０を備えていない暖房装置にも適用することができる。
【符号の説明】
【００６６】
１      本体
２      バーナ部
１４    対流ファン
１７    操作部
１７ａ  温度設定部
１８    室温検知手段
２０    制御部
１００  暖房装置
Ｔ      室温
Ｔ０    設定温度
Ｔ１    第１制御温度
Ｔ２    第２制御温度
【図１】
2020008179.tif 000003
【図２】
2020008179.tif 000004
【図３】
2020008179.tif 000005
【図４】
2020008179.tif 000006
【図５】
2020008179.tif 000007
【図６】
2020008179.tif 000008
【図７】
2020008179.tif 000009